(57)【要約】【課題】  安全のため絶縁形トランスを使用した電力供給装置において、電源供給側の入力変動等に起因した突入電流を防止することを目的とする。【解決手段】  電源供給側と絶縁トランスＴ１の一次巻線の間に設けられ、医用装置の電源が投入されると、所定期間該一次巻線への電流を制限する電流制限状態とされ、該期間経過後に電流制限無く通電する通電状態とされる突入電流防止手段２に対して、電圧検知手段３が、電源供給電圧が所定値以下になったことを検知したとき、状態制御手段４が前記電流制限状態に切り替えさせる構成とした。【選択図】      図１
2006149963.tif 000002
【特許請求の範囲】
【請求項１】
電源供給側を一次巻線とし、二次巻線を医用装置側に接続された絶縁トランスと、
前記電源供給側と前記一次巻線との間に設けられ、該医用装置の電源が投入されると、所定期間、該一次巻線への電流を制限する電流制限状態とし、該期間経過後に電流制限無く通電する通電状態とする突入電流防止手段と、
電源供給電圧を検知する電圧検知手段と、該電圧検知手段が電源供給電圧が所定値以下になったことを検知したとき、前記突入電流防止手段を電流制限状態にさせる状態制御手段と、を備えた医用絶縁形電力供給装置。
【請求項２】
前記状態制御手段は電源供給電圧がゼロクロスするタイミングを検出するゼロ検出手段を備え、該ゼロ検出手段が検出したタイミングを基に前記突入電流防止手段を制御することによって、前記電流制限状態から前記通電状態へ復帰させることを特徴とする請求項１に記載の医用絶縁形電力供給装置
【請求項３】
前記状態制御手段は、前記突入電流防止手段を電流制限状態から通電状態へ復帰させるタイミングは、ゼロ検出手段が検出したタイミング以降のゼロクロス時或いはその近傍の時間であることを特徴とする請求項２に記載の医用電源供給装置。
【請求項４】
前記突入電流防止手段は、前記電源供給側と前記一次巻線の間に設けられたサーミスタと、該サーミスタの端子間に接続され、該端子間をオンすることにより前記通電状態とし、オフすることにより前記電流制限状態とするスイッチとを有することを特徴とする請求項１〜３のいずれか一項に記載の医用絶縁形電力供給装置
【請求項５】
電源部を有し、被検体を検査、診察又は施療するための医用装置と、電源コードの一端に接続され外部の電源コンセントに挿脱される電源コネクタと、該電源コードの他端に接続され、前記医用装置の電源部に対して、前記電源コネクタと絶縁した状態で電力を供給する医用絶縁形電力供給装置と、前記医用装置と該医用絶縁形電力供給装置とを一体として収納する、可搬可能な筐体機構部と、で構成され、
さらに、該医用絶縁形電力供給装置は、
一次巻線と二次巻線とを有し、該二次巻線を前記電源部の入力に接続された絶縁トランスと、入力側が前記電源コードの他端に接続され、出力側が前記一次巻線に接続され、該医用装置の電源部がオンされると所定期間、該一次巻線への電流を制限する電流制限状態とし、該期間経過後に電流制限無く通電する通電状態とする突入電流防止手段と、前記電源コードからの電源供給電圧を検知する電圧検知手段と、該電圧検知手段が、該電源供給電圧が所定値以下になったことを検知したとき前記突入電流防止手段を電流制限状態にさせ、その後に前記電源供給電圧の位相変化に沿って前記突入電流防止手段を通電状態に復帰させる状態制御手段とを備えた可搬形医用機器。
【発明の詳細な説明】
【技術分野】
【０００１】
本発明は、被検体を検査、診察或いは施療等に用いられる医用装置に対して、電源側と医用装置との絶縁を図りつつ、電力を供給する医用絶縁形電力供給装置に関する。特に、電源側と、患者や医者が触れる可能性のある医用装置との間で電気的安全性を確保するため、絶縁トランスによって両者間の分離・絶縁を図って漏れ電流を防止しているが、電源変動や負荷変動、例えば瞬断等が発生することにより、絶縁トランスに起因した過大電流が流れることがあったが、本発明は、その過大電流（過電流）を防止する技術に係る。
【背景技術】
【０００２】
一般に、大形で固定した設備として配置されている医用装置に対しては、電源からの電力を供給するための専用の配電盤が設けられていることが多い。しかし、図５に示すように、可搬形の医用装置、例えば、超音波診断装置、内視鏡診断装置或いは心電計装置等の医用装置Ｓ１は、患者等の対象者の近くへ移動して使用されることが多いため、それらの電源（以下、単に「電源」と言った場合は、「医用装置の電源」と言うように限定した場合を除き、配電盤側の大元の電源を言う。）は、その対象者の近くの通常のコンセントで、かつ他の医用装置Ｓ２，Ｓ３が使用されている配電盤Ｈ１のコンセントから、供給を受けることになる。
【０００３】
このとき、電源側（「医用装置の電源」側と区別するため、「電源供給側」と言うことがある。）に瞬断が起きて、再び正常復帰したとき、図５のように、絶縁トランスＴ１に起因して、急激な過大電流の流入が発生すると、配電盤Ｈ１のブレーカＢＲ１が遮断したり、ヒューズが切れたりすることがある。そうすると同じ配電盤Ｈ１から電力供給を受けている医用装置２，３は、動作を停止する。この医用装置Ｓ２、Ｓ３の停止は、医用装置Ｓ２、Ｓ３の使われ方や患者への処置内容によっては、患者の危機に発展しかねない問題である。
【０００４】
一般に、従来の可搬形医用装置（機器）には、図６に示すように、電源側と絶縁トランスＴ１の一次側巻線との間に、サーミスタＲｔｈとリレースイッチＳＷ１とを含む突入電流防止手段２が備えられている。これは、絶縁トランスＴ１の二次側巻線に接続された医用装置Ｓ１に電源投入されたときに、絶縁トランス一次側に流れる突入電流（過大電流）を防止するためのものである。
【０００５】
つまり、図６において、突入電流防止手段２は、電源側と絶縁トランスＴ１に直列に電流制限用のサーミスタＲｔｈとそれに並列に接続されたリレースイッチＳＷ１を有し、当初、医用装置Ｓ１が電源投入されたときは、リレースイッチＳＷ１はオフ状態に維持され、サーミスタＲｔｈを介してだけ制限された電流が医用装置Ｓ１へ供給される（この状態を「電流制限状態」と言う）。その後、サーミスタＲｔｈは自己を流れる電流に依存した自己発熱により温度があがるとともに抵抗値が下がってくるので、医用装置Ｓ１への電流も大きくなる。なお、サーミスタＲｔｈの代わりに抵抗を使用しても良いが、その場合は自己発熱による電流変化はない。
【０００６】
通電設定手段２ａは、サーミスタＲｔｈ両端のドロップ電圧を検出して、タイマーで電源投入から所定時間をカウントしてその時間経過後、或いはドロップ電圧が所定の電圧になったとき、リレースイッチＳＷ１をオンにし、電流を制限することなく通電させる（この状態を「通電状態」と言う）。この、通電状態で、上記のように、外部要因と絶縁トランスの特性により、電源側から急激な突入電流があっても、リレースイッチＳＷ１がオンのままなので、そのまま過大電流が流れてしまう欠点があった。なお、通電設定手段２ａ（図６で２点鎖線で表示）の代わりに、図６の点線のように医用装置Ｓ１の方で、内部に有する電源部に所定時間チャージされたことを検出してリレースイッチＳＷ１をオン状態に切り替えても良い。この場合は、図示していないが、医用装置Ｓ１とリレースイッチＳＷ１の間は、フォトカプラを使う等して、絶縁を図って信号を交換する必要がある。
【０００７】
その過大電流が生じる原因は、瞬断等の入力電圧変動、及び負荷変動等による絶縁トランスＴ１の飽和にある。一般に、絶縁トランスＴ１は、その容量以上の電流が流れると飽和現象を生じ、励磁インピーダンスの急激な低下をもたらす。励磁インピーダンスが低下すると、飽和しないときの通常の電流より大きな過大電流、つまり突入電流が発生し、上記図５で示したように配電盤Ｈ１のブレーカＢＲ１を遮断させてしまう事態になる。具体的に、図７で説明する。絶縁型トランスＴ１は、図７（Ａ）のようなＢ―Ｈカーブ（磁束―磁界特性）を有しており、カーブの両端には飽和領域を有する。そこで、図７（Ｂ）の点線で示したように電源側（以下、「ＡＣ電源」ということがある。）に半周期の瞬断が生ずると、絶縁トランスＴ１は、図７（Ａ）のＢ―Ｈカーブの負方向に瞬断の前後で連続して励磁される（偏励磁）。この偏励磁作用によって絶縁トランスＴ１の磁束密度（Ｂ）は、図７（Ａ）の飽和領域に到達し、絶縁トランスＴ１の励磁インピーダンスが極端にゼロ方向に下ってしまう。
【０００８】
このときのＡＣ電圧波形及びＡＣ電流波形で対比させたのが、図８で、ポイントＰ１点が飽和による現象が表れた点である。ポイントＰ１で飽和により過大電流が流れているのが分かる。なお、図８のＡＣ電圧波形で実線は、図６のサーミスタＲｔｈの前（Ｌ−Ｎ側）で観察した波形図で、点線は、サーミスタＲｔｈの後の絶縁トランスＴ１の一次巻線入力側で観察した波形図である。
【０００９】
なお従来、特許文献１，２に記載のように電源トランスの２次側、つまり負荷側の過大電流を防止して、一次側の電流を制限するものがあった。特許文献１，２の電源トランスは、上記医用装置Ｓ１内部の電源トランスに該当し、絶縁トランスＴ１ではない。また、その外部の瞬断と絶縁トランスＴ１に起因した過大電流の防止対策を示していない。
【００１０】
【特許文献１】特開平８−１２６３１５号公報
【特許文献２】特開平１０−３２３０３６号公報
【発明の開示】
【発明が解決しようとする課題】
【００１１】
上記のような飽和の問題は、使用するＡＣ電圧、電流の変動があっても飽和しないような大きなトランスを使用すれば解決可能であるが、可搬形のような医用装置に大きなトランスを備えさせるのは、規模的、コスト的に不合理である。
【００１２】
そこで、解決するための手段として、飽和する前に、電流制限状態とすることである。ただし、電流制限状態にさせれば、飽和による過大電流が防止できるが、瞬断がなくなり、電流制限状態から通電状態に切り替えて、復帰させるとき、そのときの位相と振幅の関係から、過大電流が発生することがある。例えば、図８のポイントＰ２の時点で復帰させると、同じ位相であるが、振幅が異なるので、絶縁トランスＴ１の一次側電圧は急激に変化することになり、それに起因して過大電流が流れることがある。
【００１３】
本発明の目的は、絶縁トランスを使用した電力供給装置において、電源側の入力変動、或いは負荷変動等に起因した突入電流を防止することである。
【課題を解決するための手段】
【００１４】
請求項１に記載の発明は、電源供給側を一次巻線とし、二次巻線を医用装置側に接続された絶縁トランスと、
前記電源供給側と前記一次巻線との間に設けられ、該医用装置の電源が投入されると、所定期間、該一次巻線への電流を制限する電流制限状態とし、該期間経過後に電流制限無く通電する通電状態とする突入電流防止手段と、
電源供給電圧を検知する電圧検知手段と、該電圧検知手段が電源供給電圧が所定値以下になったことを検知したとき、前記突入電流防止手段を電流制限状態にさせる状態制御手段と、を備えた。
【００１５】
請求項２に記載の発明は、請求項１に記載の発明において、前記状態制御手段は電源供給電圧がゼロクロスするタイミングを検出するゼロ検出手段を備え、該ゼロ検出手段が検出したタイミングを基に前記突入電流防止手段を制御することによって、前記電流制限状態から前記通電状態へ復帰させる構成とした。
【００１６】
請求項３に記載の発明は、請求項１又は２に記載の発明において、前記状態制御手段は、前記突入電流防止手段を電流制限状態から通電状態へ復帰させるタイミングは、ゼロ検出手段が検出したタイミング以降のゼロクロス時或いはその近傍の時間である構成とした。
【００１７】
請求項４に記載の発明は、請求項１〜３のいずれかに記載のに発明において、前記突入電流防止手段は、前記電源供給側と前記一次巻線の間に設けられたサーミスタと、該サーミスタの端子間に接続され、該端子間をオンすることにより前記通電状態とし、オフすることにより前記電流制限状態とするスイッチとを有する構成とした。
【００１８】
請求項５に記載の発明は、電源部を有し、被検体を検査、診察又は施療するための医用装置と、電源コードの一端に接続され外部の電源コンセントに挿脱される電源コネクタと、該電源コードの他端に接続され、前記医用装置の電源部に対して、前記電源コネクタと絶縁した状態で電力を供給する医用絶縁形電力供給装置と、前記医用装置と該医用絶縁形電力供給装置とを一体として収納する、可搬可能な筐体機構部と、で構成され、
さらに、該医用絶縁形電力供給装置は、
一次巻線と二次巻線とを有し、該二次巻線を前記電源部の入力に接続された絶縁トランスと、入力側が前記電源コードの他端に接続され、出力側が前記一次巻線に接続され、該医用装置の電源部がオンされると所定期間、該一次巻線への電流を制限する電流制限状態とし、該期間経過後に電流制限無く通電する通電状態とする突入電流防止手段と、前記電源コードからの電源供給電圧を検知する電圧検知手段と、該電圧検知手段が、該電源供給電圧が所定値以下になったことを検知したとき前記突入電流防止手段を電流制限状態にさせ、その後に前記電源供給電圧の位相変化に沿って前記突入電流防止手段を通電状態に復帰させる状態制御手段とを備えた。
【発明の効果】
【００１９】
請求項１、４又は５に記載の発明によれば、電源電圧の異常電圧を検知して、電流制限状態にする構成であるから、異常電圧発生時に絶縁トランスへの励磁電流を制限できるので、飽和が無く、過大電流の発生を防止でる。
【００２０】
請求項２又は５に記載の発明によれば、電流制限状態から通電状態に切り替えるとき、電流制限状態の場合も通電状態の場合も、絶縁トランスにかかる電圧のゼロクロス点は同じなので、そのゼロクロス点を検出して、その時点で復帰させる構成にしたことから、復帰時の過大電流の発生も防止できる。
【００２１】
請求項５に記載の発明によれば、可搬形医用機器として、他の医用機器等と共有の配電盤から電源の供給を受けても、上記のように過大電流防止できる構成であるから、自己の過大電流によって、他の医用機器の使用停止等の悪影響を与えることを防止できる。
【発明を実施するための最良の形態】
【００２２】
本発明の医用絶縁形電力供給装置及び可搬形医用機器に係る実施形態について図を用いて説明する。図１は、医用絶縁形電力供給装置を含む可搬形医用機器の機能を示す構成図である。図２は、図１の構成の要部における動作タイミング示す図である。図３は、図１の構成の変形例の構成を示す図である。図４は、図３の構成の要部における動作タイミングを示す図である。図５は、従来の可搬形医用機器の問題点を説明するための図である。図６は、従来技術の構成を示す図である。図７は、絶縁トランスの特性と瞬断の関係を説明するための図である。図８は、従来技術における過大電流の発生を説明するための図である。
【００２３】
図１と図２を基に、本実施形態における構成及び動作を説明する。図１は、可搬形医用機器の構成を示すが、その内、絶縁トランスＴ１，突入電流防止手段２，電圧検知手段３及び状態制御手段４は、本発明の医用絶縁形電力供給装置を構成している。また、図１の突入電流防止手段２，絶縁トランスＴ１及び超音波診断装置１は、図６の突入電流防止手段２、絶縁トランスＴ１及び医用装置Ｓ１と同じである。図１では、図６の医用装置Ｓ１を具体的に超音波診断装置１としたものであって、代わりに可搬形の心電計装置であっても良い。
【００２４】
なお、ここでは、可搬形とは、図１の装置で、商用ＡＣ電源を使用でき、約１５００ＶＡ以下の消費電力の装置を言う。また、図１の各要部が、一体的に可搬して使用可能にされている筐体機構を有する構造であることが、安全上、好ましい。
【００２５】
図１において、突入電流防止手段２，絶縁トランスＴ１及び超音波診断装置１についての詳細説明を省略し、図６と異なる構成・動作、つまり、電圧検知手段３及び状態制御手段４の構成動作、さらにその電圧検知手段３及び状態制御手段４の構成・動作によって、突入電流防止手段２及び絶縁トランスＴ１がどのように応答し、動作するかを中心に説明する。
【００２６】
前提として、コネクタＣＮ１が共通配電盤から配線された商用ＡＣ電源に接続され、リレースイッチＳＷ１がオフ状態で超音波診断装置１の電源部１ａの電源がオンされ、サーミスタＲｔｈを電源電流が流れ、サーミスタＲｔｈの自己発熱で抵抗値を下げて電源電流を増しながら、絶縁トランスＴ１を介して、電源部１ａに所定時間、電流チャージし（電流制限状態）、その所定時間経過後に、リレースイッチＳＷ１がオンになり、リレースイッチＳＷ１を通してＡＣ電流が超音波診断装置１へ電力が供給されている（通電状態）ものとする。ここまでの動作は、従来技術における図６の動作と同じである。また図１では、図６の通電設定手段２ａ相当の手段を省略してあるが、図１でもその機能を有する。
【００２７】
図１において、電圧検知手段３は、分圧器３ａ、Ａ／Ｄ変換部３ｂ及び比較部３ｃを有し、コネクタＣＮ１から入力されるＡＣ電圧の異常を検出する。分圧器３ａは、単に、後続のＡ／Ｄ変換器３ｂ等の動作電圧領域まで、ＡＣ電圧を降下させるためのもので、抵抗で構成できる。Ａ／Ｄ変換器３ｂは、分圧器３ａのＡＣ電圧を受けて、商用ＡＣ電源の周波数に追随して高い周波数でサンプリングし、アナログーデジタル変換する。つまり、Ａ／Ｄ変換器３ｂは、ＡＣ電圧波形（振幅の変化）を検出している（図２の「（１）ＡＣ電圧波形」を参照）。
【００２８】
比較部３ｃは、Ａ／Ｄ変換器３ｂの出力と、レファレンス電圧を比較し、Ａ／Ｄ変換器３ｂの出力がレファレンス電圧を下回ったときに、ＡＣ電圧波形が異常であることを示すパルスを出力する（図２の「（２）比較部の出力」を参照）。このレファレンス電圧は、例えば、正常時のＡＣ電圧波形の７０％、５０％或いは０％というように設定されている（ＡＣ電圧波形の８０％以上の設定は、好ましくない。機器として正常な動作範囲に入る可能性があるため。）。図２では、正方向のＡＣ電圧波形の瞬断を示しているが、負方向のＡＣ電圧波形位も瞬断を生じる可能性があるので、比較部３ｃは、Ａ／Ｄ変換器３ｂの出力の振幅値の絶対値を比較対象とする。
【００２９】
したがって、図２の（１）のＡＣ電圧波形に示すように、瞬断等で一部波形が抜けたとき、図２の（２）のように瞬断開始より、僅かに遅れたタイミングで、異常を示すパルスを出力する。
【００３０】
一方、状態制御手段４は、ＡＣ電圧波形のゼロクロスのタイミングを検出するゼロ検出部４ａ、ゼロクロスするパルスの数をカウントするカウンタ４ｂ、それらのタイミングを基に復帰するタイミングを決定し、リレースイッチＳＷ１をオフ、オンさせる切替タイミング決定手段４ｃを有している。
【００３１】
クロス検出部４ａは、例えば、図２の（１）ＡＣ電圧波形とゼロ電圧とを比較し、図２（３）のように、ＡＣ電圧波形のゼロ点で立ち上がり、立ち下がるパルス波形を出力する。したがって、半波形以上（位相で１８０度以上）の瞬断部分にはパルス波形が無い。
【００３２】
カウンタ４ｂは、比較部３ｃからのパルスでゼロ検出部４ａからのパルス数のカウントを開始し、予め決められたパルス数Ｎだけカウントすると動作を終了するように設定されている。カウント数Ｎは、予想される瞬断の時間幅等を考慮して設定されることが好ましい。この例では、カウンタ数Ｎ＝１とする。したがって、図２の（４）に示すように、比較部２の出力でカウント動作を開始し、ゼロ検出部４ａからのパルスを１個カウントしたところで、動作を終了する。
【００３３】
切替タイミング決定部４ｃは、カウンタ４ｂの開始タイミングと終了タイミングを受けて、その開始タイミングで、リレースイッチＳＷ１をオンからオフに切り替えることによって電流制限状態にさせ、終了タイミング後の最初に到来するＡＣ電圧波形の立ち上がり（図２の（３）を参照）でリレースイッチＳＷ１をオンにし通電状態とさせる。図２の（５）及び（７）にそのタイミングを示す。
【００３４】
その結果、図２の（６）のＡＣ電流波形のように、リレースイッチＳＷ１のオフにより電流制限状態としているため、絶縁トランスＴ１は、ＡＣ電源の異常電圧によって飽和することがないので、飽和による過大電流（突入電流）を防止できる。一方、ゼロ検出したタイミングでリレースイッチＳＷ１をオンすることにより通電状態としているため、ゼロ点においては復帰直前と復帰直後とでＡＣ電流の振幅ずれがほぼ無いので、復帰時の振幅ずれに依存する過大電流の発生を防止できる。なお、ゼロ検出時の遅れ等から幾分の振幅ずれが生じ可能性があるが、過大電流を生じない許容範囲内の振幅ずれを生じるタイミングの近傍であれば問題はない。
【００３５】
また、電圧検知手段３及び状態制御手段４に入力させるＡＣ電圧は、図１のように突入電流防止回路２の前のＡＣ電圧を用いることが好ましい。突入電流防止回路２の後のＡＣ電圧を用いても動作可能であるが、絶縁トランスＴ１の入力であるため、ＡＣ電圧波形が歪む恐れがあり、検知の精度が悪化する恐れがある。
【００３６】
図３は、図１の電圧検知手段３及び状態制御手段４の構成・動作の変形例であり、瞬断が、ＡＣ電圧波形の半周期以上の瞬断の場合に便利な例である。図３及び図４を基に説明する。
【００３７】
図３において、ゼロ検出部３ｅは、ＡＣ電圧波形のゼロクロス点以下の振幅をパルスに変換し、さらにそれを反転したパルスを生成する（図４の（２）を参照）。また、同様に、ＡＣ電圧波形のゼロクロス点以上の振幅をパルスに変換したパルスを生成する（図４の（２ｂ）を参照）。そしてそれら二つのパルス列のアンド論理演算をした波形列を出力する（図４の（２ｃ））。したがって、ＡＣ電圧波形の波形が瞬断で欠損す期間（以下、「欠損期間」という。）が半周期であっても、１周期以上であっても、その間の欠損期間には、パルスが表れない。
【００３８】
欠損検出部３は、ゼロ検出部の出力波形（図４の（２ｃ））と、それを遅延回路で１周期遅延させた波形との排他論理演算を行う。これによって、欠損期間の最初から欠損期間が終了した（瞬断が終了した）後の最初のパルスの終了までの期間を示す波形が得られる（図４の（３ａ）を参照）。つまり、図４の（３ａ）の波形列は、瞬断前のパルスｒ１と、瞬断後の最初のパルスｒ３で作られており、しかもパルスｒ１は、最初の瞬断波形位置にあることから、瞬断の期間が長くなれば、パルスｒ１とパルスｒ３の期間が長くなることを示している。
【００３９】
カウンタ４ｄは、図４の（３ａ）のパルスｒ１の立ち上がりでカウントを開始し、少なくともパルスｒ３をカウントするまで動作する。ゼロ検出部３ｅの出力をカウントするのであれば、１個だけカウントすれば良い。欠損検出部３ｄの出力をカウントするのであれば２個だけカウントすれば良い。なお、パルスｒ３以降に到来するパルスを含むパルスまでカウントするようにしても良い。
【００４０】
図３の切替タイミング決定部４ｃは、カウンタ４ｄの動作開始のタイミングでリレースイッチＳＷ１をオフに切り替えることにより突入電流素子手段２を電流制限状態に設定する。そして、カウンタ４ｄの動作終了のタイミング以降の最初に到来するパルスの立ち上がりのタイミングでリレースイッチＳＷ１をオフからオンに切り替えることにより、突入電流防止手段２を通電状態に設定する。
【００４１】
図４の（６）及び（７）は、図３の構成による動作結果を示すもので、これは、ほぼ図２の（６）及び（７）と同じ波形を示すが、図４の（７）の電流制限状態が、図２に（７）より速く切り替えられているが、これは、波形が欠けた時点で切り替えられているためである。
【００４２】
上記説明中の切替タイミング決定部４ｃ、欠損検出部３ｄ、そしてアンド論理演算手段、排他論理演算手段、遅延回路、その他の、波形を合成、生成する具体手段として、論理素子及び論理回路で構成できる。又、比較部３ｃ、ゼロ検出部４ａ、３ｅは、差動演算素子で構成できる。
【００４３】
なお、電圧検知手段３、状態制御手段４及び突入電流防止手段２の内部構成は、上記した実施形態に限られることなく、発明の要旨を逸脱しない限りにおいて他の方法を採りうることを付け加える。
【図面の簡単な説明】
【００４４】
【図１】医用電力供給装置を含む可搬形医用機器の機能を示す構成図である。
【図２】図１の構成の要部における動作タイミング示す図である。
【図３】図１の構成の変形例の構成を示す図である。
【図４】図３の構成の要部における動作タイミングを示す図である。
【図５】従来の可搬形医用機器の問題点を説明するための図である。
【図６】従来技術の構成を示す図である。
【図７】絶縁トランスの特性と瞬断の関係を説明するための図である。
【図８】従来技術における過大電流の発生を説明するための図である
【符号の説明】
【００４５】
１  超音波診断装置
２  突入電流防止手段
３  電圧検出手段
４  状態制御手段
【図１】
2006149963.tif 000003
【図２】
2006149963.tif 000004
【図３】
2006149963.tif 000005
【図４】
2006149963.tif 000006
【図５】
2006149963.tif 000007
【図６】
2006149963.tif 000008
【図７】
2006149963.tif 000009
【図８】
2006149963.tif 000010